(57)【要約】【課題】肘掛の取付性を損なうようなことを抑制可能でありながらも、見栄えを向上させ得る便器装置を提供する。【解決手段】便器装置１は、便器本体１０と、該便器本体に取り付けられる肘掛３０と、該便器本体の後部側方を覆うサイドカバー２０と、を備えており、前記サイドカバーは、前記便器本体に取り付けられた状態における前記肘掛の便器本体側端部３３を挟むように分割され該便器本体側端部の周囲を囲むように覆う第１カバー２１と第２カバー２６とを備えている。【選択図】図１
2015143431.tif 000002
【特許請求の範囲】
【請求項１】
便器本体と、該便器本体に取り付けられる肘掛と、該便器本体の後部側方を覆うサイドカバーと、を備えており、
前記サイドカバーは、前記便器本体に取り付けられた状態における前記肘掛の便器本体側端部を挟むように分割され該便器本体側端部の周囲を囲むように覆う第１カバーと第２カバーとを備えていることを特徴とする便器装置。
【請求項２】
請求項１において、
前記肘掛は、前記便器本体側端部から上方に向けて立ち上がるように形成された支持部の先端に肘掛部を設けた構成とされ、かつ前記便器本体側端部を回動支点として前後方向に揺動可能とされており、
少なくとも前記第１カバーが便器本体側に対して着脱自在とされ、該第１カバーは、便器本体側に取り付けられた状態で側面視して前記肘掛の支持部の前後方向への揺動領域に重ならないように配される構造とされていることを特徴とする便器装置。
【請求項３】
請求項２において、
前記第１カバーは、前記第２カバーよりも広い領域を覆う構造とされていることを特徴とする便器装置。
【請求項４】
請求項１乃至３のいずれか１項において、
前記肘掛の便器本体側端部は、円柱形状とされており、
前記第１カバー及び前記第２カバーは、これらによって形成される前記便器本体側端部を受け入れる受入口が該便器本体側端部に応じた円形状となる構造とされていることを特徴とする便器装置。
【発明の詳細な説明】
【技術分野】
【０００１】
本発明は、肘掛を備えた便器装置に関する。
【背景技術】
【０００２】
従来より、便器本体の後部側方に、便器本体を床に固定するための取付部や給排水管、各種機能部材等を覆うサイドカバーを設けた便器装置が知られている。また、便器本体に、立ち座りの際の補助のためや、座った際に肘を置くための肘掛（手摺）を設ける場合がある。このような肘掛（手摺）を設けた場合にも、見栄え上の観点等からサイドカバーを設けることが望まれる。
例えば、下記特許文献１では、便器本体の後端部に設けられた手摺固着帯に、手摺の支柱の端部に設けられた手摺取付部をネジ止めし、この手摺取付部及び床取付けフランジ部を遮蔽するカバーを便器本体の側面に設けた便器が提案されている。また、この便器は、カバーに、便器本体に固定された手摺の支柱の下部水平部分を逃がすための凹溝を後方に向けて延びるように設けた構成とされている。
【先行技術文献】
【特許文献】
【０００３】
【特許文献１】特開２００６−１２２１０６号公報
【発明の概要】
【発明が解決しようとする課題】
【０００４】
上記特許文献１に記載された便器によれば、例えば、手摺（肘掛）の便器本体側端部を受け入れる受入口を、サイドカバーの面域内において貫通する貫通孔とした場合と比べて、肘掛を取り付ける際の作業性等は良好であると考えられる。しかしながら、後方に向けて延びるように設けられた凹溝が目立ち易くなることが考えられ、更なる改善が望まれる。
【０００５】
本発明は、上記実情に鑑みてなされたものであり、肘掛の取付性を損なうようなことを抑制可能でありながらも、見栄えを向上させ得る便器装置を提供することを目的としている。
【課題を解決するための手段】
【０００６】
上記目的を達成するために、本発明に係る便器装置は、便器本体と、該便器本体に取り付けられる肘掛と、該便器本体の後部側方を覆うサイドカバーと、を備えており、前記サイドカバーは、前記便器本体に取り付けられた状態における前記肘掛の便器本体側端部を挟むように分割され該便器本体側端部の周囲を囲むように覆う第１カバーと第２カバーとを備えていることを特徴とする。
【０００７】
また、本発明においては、前記肘掛を、前記便器本体側端部から上方に向けて立ち上がるように形成された支持部の先端に肘掛部を設けた構成とし、かつ前記便器本体側端部を回動支点として前後方向に揺動可能とされたものとし、少なくとも前記第１カバーを便器本体側に対して着脱自在とし、該第１カバーを、便器本体側に取り付けられた状態で側面視して前記肘掛の支持部の前後方向への揺動領域に重ならないように配される構造としてもよい。
また、本発明においては、前記第１カバーを、前記第２カバーよりも広い領域を覆う構造としてもよい。
また、本発明においては、前記肘掛の便器本体側端部を、円柱形状とし、前記第１カバー及び前記第２カバーを、これらによって形成される前記便器本体側端部を受け入れる受入口が該便器本体側端部に応じた円形状となる構造としてもよい。
【発明の効果】
【０００８】
本発明に係る便器装置は、上述のような構成としたことで、肘掛の取付性を損なうようなことを抑制可能でありながらも、見栄えを向上させることができる。
【図面の簡単な説明】
【０００９】
【図１】（ａ）は、本発明の一実施形態に係る便器装置の一例を模式的に示す概略側面図、（ｂ）は、同便器装置が備えるサイドカバーの一例を模式的に示す概略側面図である。
【図２】同便器装置の概略分解斜視図である。
【図３】（ａ）は、同便器装置の概略分解斜視図、（ｂ）は、同便器装置の概略斜視図である。
【発明を実施するための形態】
【００１０】
以下に本発明の実施の形態について、図面に基づいて説明する。
図１〜図３は、本実施形態に係る便器装置の一例を模式的に示す図である。
なお、一部の図では、他図に付している詳細な符号の一部を省略している。
また、以下の実施形態では、設置された便器装置に対して立位使用状態で対面した状態を基準として、手前側を前方、その逆側を後方とし、また、その状態を基準として上下方向及び左右方向を説明する。
【００１１】
本実施形態に係る便器装置１は、図１（ａ）、図２及び図３に示すように、床等の設置面に設置される着座式の洋風便器装置であり、ボウル部（便鉢）や給排水管に接続される給排水機構等を備えている。この便器装置１の給水機構としては、ボウル部の上端に周設されたリム部及びボウル部の内壁を洗浄するように洗浄水を供給する構成とされたものとしてもよい。また、便器装置１の排水機構としては、ボウル部の底部に設けられた排水口に接続された筒状トラップを駆動機構によって回動させて排水及び封水する構成とされたいわゆるターントラップ式のものとしてもよい。なお、排水機構としては、このような態様に限られず、サイホン式やサイホンゼット式、サイホンボルテックス式等の他の排水機構を採用するようにしてもよい。
【００１２】
また、本実施形態では、便器装置１に、ボウル部（便器本体１０）に対して開閉自在（起倒自在）とされた便蓋１４及び便座１５を設けた構成としている。また、本実施形態では、便器装置１を、水洗タンクを備えていない、いわゆるタンクレスタイプのものとした例を示している。なお、このような態様に代えて、水洗タンクを備えた構成としてもよい。
また、便器装置１に、便蓋１４及び便座１５を開閉する開閉装置や、脱臭装置、局部洗浄装置、便座１５や局部洗浄用水等を温める加熱装置、洗剤供給装置等の各種機能装置や機能部材を設けた構成としてもよい。また、便器装置１に、人体検知センサや着座センサ等の各種センサを設けた構成としてもよい。また、便器装置１に、上記した各種機能装置を操作する操作部としてのリモコン装置や、リモコン装置の各種信号の送受信を可能とする送受信装置等を設けた構成としてもよい。
【００１３】
また、便器装置１は、便器本体１０と、便器本体１０に取り付けられる肘掛（アームレスト、手摺）３０と、便器本体１０の後部側方を覆うサイドカバー２０と、を備えている。
便器本体１０は、便蓋１４及び便座１５を開閉可能に軸支する機構ユニット１６と、この機構ユニット１６やボウル部等を支持し設置面に固定される本体フレーム１１と、を備えている。
機構ユニット１６は、便器本体１０の後端部の上側部位に設けられ、左右方向に沿う軸廻りに便蓋１４及び便座１５を回動可能に支持する構成とされている。なお、この機構ユニット１６に、上記した各種機能装置や機能部材の一部を収納するようにしてもよい。
【００１４】
また、本実施形態では、便器装置１に、便器本体１０の前方側部位及び左右両側方の前方側部位を覆うように配されるスカート部１７と、便器本体１０の後方側部位を覆うように配されるリアカバー１８と、を設けた構成としている。また、本実施形態では、便器装置１に、便器本体１０の左右両側方の後方側部位を覆うように配される一対のサイドカバー２０，２０を設けた構成としている。また、これら一対のサイドカバー２０，２０の上方に、一対の上部カバー１９，１９をそれぞれに設けた構成としている。
スカート部１７は、ボウル部の前方側部位及び左右両側方の前方側部位を囲むように、かつボウル部上端のリム部外周側部位から設置面に略至るように設けられている。図例では、スカート部１７を、下方側に向かうに従い先細り状となるような形状とした例を示している。また、スカート部１７の左右両側の後端縁部を、斜め下方側に向く傾斜面状とした例を示している。なお、このスカート部１７は、本体フレーム１１等に対してねじ等の固定具によって固定されるものとしてもよい。または、このスカート部１７を、ボウル部やこれに加えて本体フレーム１１と一体的に形成されたものとしてもよい。
【００１５】
リアカバー１８は、詳細な図示は省略しているが、機構ユニット１６後端のカバー部の下端に連なるように、このカバー部から設置面までの上下寸法に概ね応じた上下寸法とされている。また、このリアカバー１８の左右方向に沿う寸法は、便器本体１０の左右方向に沿う寸法よりも小さい寸法とされている。なお、リアカバー１８は、本体フレーム１１や機構ユニット１６等の便器本体１０側に対してねじ等の固定具によって固定されるものとしてもよい。
一対の上部カバー１９，１９及び一対のサイドカバー２０，２０は、スカート部１７の左右両側の後端縁部とリアカバー１８の左右両側縁部との間を覆うように配される構成とされている。本実施形態では、これら上部カバー１９，１９及びサイドカバー２０，２０における左右方向に厚さ方向を概ね沿わせた前方側部位の後端側に、左右方向中心側に向けて屈曲するように湾曲形状とされた後端湾曲部位を設けた構成としている。
【００１６】
上部カバー１９，１９は、側面視して（左右方向に見て）概ね矩形状とされ、機構ユニット１６の下端縁からサイドカバー２０，２０の上端縁までの上下寸法に応じた上下寸法とされている。これら上部カバー１９，１９の上下寸法は、サイドカバー２０，２０の上下寸法よりも小さい寸法とされている。これら上部カバー１９，１９は、左右対称状で互いに同様の構成とされている。
また、これら上部カバー１９，１９は、それぞれの上端縁部が機構ユニット１６の左右両側部位の下端縁部に当接または近接対面し、それぞれの下端縁部がサイドカバー２０，２０の上端縁部に当接または近接対面するように配される。また、これら上部カバー１９，１９は、それぞれの前端縁部がスカート部１７の左右両側の後端縁部に当接または近接対面し、それぞれの後端縁部がリアカバー１８の左右両側縁部に当接または近接対面するように配される。なお、これら上部カバー１９，１９は、本体フレーム１１や機構ユニット１６、スカート部１７、リアカバー１８等に対してねじ等の固定具によって固定されるものとしてもよい。また、これら上部カバー１９，１９やスカート部１７、リアカバー１８、後記するサイドカバー２０，２０は、合成樹脂系材料等から形成されたものとしてもよい。
【００１７】
本体フレーム１１には、設置面に固定される固定部や、上記したボウル部や機構ユニット１６、スカート部１７、リアカバー１８、上部カバー１９，１９等が固定される固定部が設けられている。
また、本体フレーム１１には、後記するサイドカバー２０，２０（第１カバー２１，２１）を着脱自在に保持する保持部１３が設けられている。なお、保持部１３については後述する。また、この本体フレーム１１におけるサイドカバー２０，２０（第１カバー２１，２１）によって覆われる部位に、給排水管の接続部やトラップ、その他、上記した各種機能装置や機能部材等を収納するようにしてもよい。
【００１８】
また、本実施形態では、図２に示すように、この本体フレーム１１に、肘掛３０が取り付けられる肘掛取付部１２を設けている。また、本実施形態では、一方の図示を省略しているが、本体フレーム１１の左右両側のそれぞれに肘掛取付部１２，１２を設けている。
これら肘掛取付部１２，１２は、便器本体１０の後方側部位の左右両側に設けられ、かつ左右両側の上部カバー１９，１９の下方側に位置するように設けられている。図例では、肘掛取付部１２，１２を、スカート部１７の左右両側の後端縁部と上部カバー１９，１９の下端縁部との入隅部近傍に位置するように設けた例を示している。
また、これら肘掛取付部１２，１２は、側面視して、互いに重なり合う位置となるように設けられている。図例では、これら肘掛取付部１２，１２を、側面視して、便蓋１４及び便座１５の回動軸の直下に位置するように設けた例を示している（図１（ａ）参照）。
これら肘掛取付部１２，１２には、後記する肘掛３０を固定するねじが捩じ込まれる雌ねじ部や係合部等が適宜、設けられている。なお、本体フレーム１１は、金属系材料等から形成されたものとしてもよい。
【００１９】
肘掛３０は、図２に示すように、便器本体側端部３３から上方に向けて立ち上がるように形成された支持部３２の先端に肘掛部３１を設けた構成とされている。また、本実施形態では、肘掛３０を、便器本体側端部３３を回動支点として前後方向に揺動可能としている。つまり、肘掛３０は、肘掛部３１を使用し易い前方側に位置させる使用位置（肘掛位置）と、肘掛部３１の不要時等に肘掛部３１を邪魔になり難い後方側に位置させる後退位置と、に変位可能とされている。
また、図２及び図３では、左右で一対とされた肘掛３０，３０を例示しており、これら肘掛３０，３０は、左右対称状で互いに同様の構成であるので、以下では、一方の肘掛３０について説明する。
【００２０】
便器本体側端部３３は、棒状とされ、左右方向に軸方向を沿わせ、便器本体１０から左右方向に沿って突出するように配される。本実施形態では、便器本体側端部３３を、円柱形状としている。
この便器本体側端部３３の便器本体側には、肘掛取付部１２に取り付けられる固定片部３４が設けられている。図例では、固定片部３４を、便器本体側端部３３と同軸状の円形鍔状のフランジ部３４とした例を示している。このフランジ部３４には、肘掛取付部１２に設けられた雌ねじ部や係合部に応じた位置となるようにねじの挿通孔や係合部が設けられている。
【００２１】
支持部３２は、便器本体側端部３３の反便器本体側に連なるように設けられ、便器本体側端部３３と同様、棒状（本実施形態では、円柱形状）とされている。この支持部３２は、図１（ａ）及び図３に示すように、使用位置においては、肘掛部３１が使用し易い位置となるように、便器本体側端部３３側端となる基端よりも肘掛部３１側端となる先端が前方側に位置するように前傾状に配される構成とされている。一方、支持部３２は、後退位置においては、肘掛部３１が邪魔になり難い位置となるように、基端よりも先端が後方側に位置するように後傾状に配される構成とされている（図１（ａ）の二点鎖線参照）。
また、支持部３２は、先端側となる上端側が前後に移動するように下端側の基端を支点として揺動する構成とされている。この支持部３２の揺動領域は、側面視して、下端側の基端を支点とする扇状、つまりは、上方に向かうに従い拡開するような領域となる。
本実施形態では、支持部３２を、使用位置と後退位置との間を支点廻りに９０°以内の範囲で揺動する構成としている。図例では、支持部３２を、使用位置と後退位置との間を支点廻りに約３５°の範囲で揺動する構成としている。
【００２２】
肘掛部３１は、支持部３２の先端に連なるように設けられ、図例では、円柱形状とした例を示している。この肘掛部３１は、使用位置においては、使用し易いように、軸方向を前後方向（水平方向）に沿わせ、閉状態（倒伏状態）の便座１５の側方側でかつ上方側に位置するように配される構成とされている。
なお、肘掛部３１としては、図例のような丸棒状とされたものに限られず、角柱棒状や帯板状等とされたものとしてもよい。
【００２３】
また、肘掛３０を、便器本体側端部３３廻りに便器本体１０に対して揺動自在とする態様としては、種々の態様の採用が可能である。例えば、フランジ部３４を、肘掛取付部１２に対して固定される部位とこれに対して回動自在に保持され、便器本体側端部３３に対して固定的に設けられた部位とを有したような二重円盤構造等としてもよい。または、フランジ部３４に対して便器本体側端部３３を回動自在に連結したような構造としてもよい。また、このフランジ部３４等に、使用位置からの更なる前方側への回動を抑止するストッパー部や後退位置からの更なる後方側への回動を抑止するストッパー部を設けるようにしてもよい。
【００２４】
サイドカバー２０は、図１及び図２に示すように、便器本体１０に取り付けられた状態における肘掛３０の便器本体側端部３３を挟むように分割され便器本体側端部３３の周囲を囲むように覆う第１カバー２１と第２カバー２６とを備えている。
本実施形態では、左右両側のサイドカバー２０，２０のそれぞれを、左右で一対とされた左右両側の肘掛３０，３０のそれぞれの便器本体側端部３３，３３の周囲を囲むように覆う第１カバー２１，２１及び第２カバー２６，２６をそれぞれに備えたものとしている。
なお、これらサイドカバー２０，２０は、左右対称状で互いに同様の構成であるので、以下では、一方のサイドカバー２０について説明する。
【００２５】
これら第１カバー２１及び第２カバー２６を備えたサイドカバー２０は、図１に示すように、側面視して（左右方向に見て）概ね矩形状とされている。また、第１カバー２１と第２カバー２６とが便器本体１０に対して組み付けられた状態（組み付け状態）におけるサイドカバー２０全体の上下寸法は、その上方側に配される上部カバー１９の下端縁部から設置面までの上下寸法に応じた寸法とされている。
また、組み付け状態におけるサイドカバー２０は、上端縁部が上部カバー１９の下端縁部に当接または近接対面し、下端縁部が設置面に当接または近接対面するように配される。また、組付け状態におけるサイドカバー２０は、前端縁部がスカート部１７の後端縁部に当接または近接対面し、後端縁部がリアカバー１８の左右の側縁部に当接または近接対面するように配される。また、組み付け状態におけるサイドカバー２０は、スカート部１７と概ね同様、上端側よりも下端側が左右方向中心に位置するように傾斜状に配される構成とされている。
【００２６】
本実施形態では、第１カバー２１及び第２カバー２６における便器本体側端部３３を挟むように分割されて対向する部位が上下方向を向く構成としている。また、本実施形態では、便器本体側端部３３の下方側部位を第１カバー２１が覆う一方、便器本体側端部３３の上方側部位を第２カバー２６が覆う構成としている。
また、本実施形態では、第１カバー２１及び第２カバー２６を、これらによって形成される便器本体側端部３３を受け入れる受入口２８が便器本体側端部３３に応じた円形状となる構造としている。つまり、これら第１カバー２１及び第２カバー２６における便器本体側端部３３を挟むように分割されて対向する部位のそれぞれに、サイドカバー２０を厚さ方向に貫通する受入口２８を構成する凹部２５，２７を設けた構成としている。これら凹部２５，２７は、受入口２８が便器本体側端部３３と同心状でかつこれよりも僅かに大径状となるように形成されている。
【００２７】
便器本体側端部３３の下方側部位を囲む第１カバー２１の凹部２５は、カバー厚さ方向に見て（側面視して）、上方に向けて開口するように設けられている。便器本体側端部３３の上方側部位を囲む第２カバー２６の凹部２７は、カバー厚さ方向に見て、下方に向けて開口するように設けられている。本実施形態では、この第２カバー２６の凹部２７が半円形状よりも大きくなるように、この凹部２７を第１カバー２１の凹部２５よりも大きくしている。なお、このような態様に代えて、これら凹部２５，２７のそれぞれを半円形状となるように、第１カバー２１及び第２カバー２６のそれぞれに設けるようにしてもよい。
【００２８】
また、本実施形態では、少なくとも第１カバー２１を便器本体１０側に対して着脱自在とし、この第１カバー２１を、便器本体１０側に取り付けられた状態で側面視して肘掛３０の支持部３２の前後方向への揺動領域に重ならないように配される構造としている。つまり、第１カバー２１を、使用位置と後退位置との間を変位する肘掛３０の支持部３２がいずれの位置においても、この支持部３２に干渉（接触）させることなく、便器本体１０側に対してカバー厚さ方向（左右方向）に移動（着脱）可能となるように設けている。
また、本実施形態では、図３（ａ）に示すように、第２カバー２６を便器本体１０側に取り付けた状態で、第１カバー２１を便器本体１０側に対して着脱自在としている。
また、本実施形態では、第１カバー２１を、第２カバー２６よりも広い領域を覆う構造としている。つまり、第１カバー２１を主カバー２１とし、第２カバー２６を補助カバー２６として、サイドカバー２０の面域方向における主カバー２１の占有面積を補助カバー２６よりも大きくしている。これら主カバー２１と補助カバー２６とのサイドカバー２０の面域方向における占有面積比は、メンテナンス性や見栄え上の観点から、また、肘掛３０の態様等に応じて、適宜、設定するようにしてもよく、例えば、２：１〜１０：１程度としてもよい。
【００２９】
本実施形態では、図１（ｂ）に示すように、上記のような態様とされた肘掛３０に対応させて、主カバー２１の前上端隅部に前方及び上方に向けて開口するような補助カバー受入凹部２４を設け、補助カバー２６を、この補助カバー受入凹部２４を覆うような形状としている。図例では、補助カバー受入凹部２４を、前方に向く凹前縁部２４ａと上方に向く凹底縁部２４ｂとによって区画した例を示している。また、凹底縁部２４ｂにおいて開口するように上記した受入口２８を構成する凹部２５を設けた構成としている。
この主カバー２１は、サイドカバー２０の大部分を構成し、補助カバー受入凹部２４を除く四周縁部（前後及び上下の縁部）が、便器本体１０側となるスカート部１７及び他のカバー１８，１９並びに設置面に当接または近接対面するように配される構成とされている。
【００３０】
また、この主カバー２１の裏面側には、便器本体１０側となる本体フレーム１１やこれに固定されたスカート部１７、リアカバー１８、上部カバー１９等に設けられた保持部１３に対して着脱自在に保持される被保持部２２，２３が設けられている。このような保持部１３及び被保持部２２，２３としては、一方に凸部を設け、他方に凸部が嵌め込まれる凹部を設けた構成や、互いに接離自在とされた面ファスナーを設けた構成、一方にプッシュラッチ部を設け、他方にラッチ受を設けた構成等としてもよい。
【００３１】
図例では、本体フレーム１１の底フレームに、上方に向けて開口する係合凹部１３を設け、主カバー２１の下端部に、この係合凹部１３に嵌め入れられる係合凸部２２を設けた構成としている。また、主カバー２１の補助カバー受入凹部２４が設けられた隅部を除く三隅部に、便器本体１０側に設けられた面ファスナーに接合される面ファスナー２３，２３，２３を設けた例を示している。なお、主カバー２１の上端部位等に、便器本体１０側に設けられたプッシュラッチ部に着脱自在に係止されるラッチ受を設けてもよい。このような構成とすれば、主カバー２１の上端部位をカバー厚さ方向に押圧することで、主カバー２１を容易に便器本体１０側から脱離させることができる。
また、主カバー２１を便器本体１０側に対して着脱自在に保持させる態様としては、このような態様に限られず、種々の態様の採用が可能である。
【００３２】
補助カバー２６は、図１（ｂ）に示すように、上記した主カバー２１の補助カバー受入凹部２４に対応した形状とされ、側面視して略矩形状とされている。
この補助カバー２６は、後端縁部２６ａが主カバー２１の補助カバー受入凹部２４の凹前縁部２４ａに当接または近接対面し、下端縁部２６ｂが主カバー２１の補助カバー受入凹部２４の凹底縁部２４ｂに当接または近接対面するように配される構成とされている。また、下端縁部２６ｂにおいて開口するように上記した受入口２８を構成する凹部２７を設けた構成としている。また、この補助カバー２６は、上端縁部が主カバー２１の上端縁部と略同一平面状となり、前端縁部が主カバー２１の前端縁部と略同一平面状となる構成とされている。
【００３３】
また、図例では、補助カバー２６の後端縁部２６ａと主カバー２１の凹前縁部２４ａとの接合継目部の上端部が、側面視して、後退位置とされた支持部３２の僅かに後方側に位置する構成としている。このような構成とすれば、上記のように主カバー２１を支持部３２に干渉させることなく着脱可能としながらも補助カバー２６の前後方向に沿う寸法を小さくすることができる。
なお、この補助カバー２６と主カバー２１とは、便器本体１０側に取り付けられた状態で、互いの表面が略同一平面状となるような構成としてもよい。
また、補助カバー２６は、便器本体１０側となる本体フレーム１１やこれに固定されたスカート部１７、リアカバー１８、上部カバー１９等に対して、ねじ等の止具や接着剤等によって固定される態様としてもよい。または、主カバー２１と概ね同様、補助カバー２６を、便器本体１０側に対して着脱自在としてもよい。
【００３４】
本実施形態に係る便器装置１は、上述のような構成としたことで、肘掛３０の取付性を損なうようなことを抑制可能でありながらも、見栄えを向上させることができる。
つまり、便器本体１０の後部側方を覆うサイドカバー２０を、便器本体１０に取り付けられた状態における肘掛３０の便器本体側端部３３を挟むように分割された第１カバー（主カバー）２１と第２カバー（補助カバー）２６とを備えた構成としている。従って、これら第１カバー２１及び第２カバー２６の両方または一方を取り付ける前に、肘掛３０を便器本体１０に取り付けることができる。これにより、例えば、肘掛３０の便器本体側端部３３を受け入れる受入口をサイドカバーの面域内において貫通する貫通孔等とした場合と比べて、肘掛３０の取付性を損なうようなことを抑制することができる。また、例えば、本実施形態のように、便器本体１０の肘掛取付部１２に強固に固定すべく、肘掛３０の便器本体側端部３３に鍔状の固定片部３４を設けた態様とした場合にも、固定片部３４を効果的に覆うことが可能でありながらも、肘掛３０の取付性を向上させることができる。
【００３５】
また、例えば、肘掛３０を取り付けた後に、第１カバー２１及び第２カバー２６の両方または一方を、便器後方内部に収容される各種機能部材等のメンテナンス等のために取り外す必要性が生じたような場合にも、第１カバー２１及び第２カバー２６の両方または一方を容易に着脱することができる。
また、これら両カバー２１，２６によって便器本体側端部３３の周囲が覆われるので、例えば、肘掛３０の便器本体側端部３３を受け入れる受入口をサイドカバーの一側端部において開口させた凹溝状のものとした場合と比べて、見栄えを向上させることができる。
【００３６】
また、本実施形態では、肘掛３０を、便器本体側端部３３から上方に向けて立ち上がるように形成された支持部３２の先端に肘掛部３１を設けた構成とし、便器本体側端部３３を回動支点として前後方向に揺動可能としている。従って、肘掛３０を後方側に移動させて後退位置にすることができ、使い勝手を向上させることができる。
また、少なくとも第１カバー２１を便器本体１０側に対して着脱自在とし、この第１カバー２１を、便器本体１０側に取り付けられた状態で側面視して肘掛３０の支持部３２の前後方向への揺動領域に重ならないように配される構造としている。従って、肘掛３０を揺動可能としながらも、第１カバー２１を容易に着脱することができる。つまり、肘掛３０の支持部３２が前後方向のいずれに位置していても、肘掛３０の支持部３２によって遮られるようなことなく第１カバー２１をカバー厚さ方向に沿って着脱することができる。
また、このように第１カバー２１をカバー厚さ方向に沿って容易に着脱することができるので、第１カバー２１を下方側や前後方向に移動させて着脱させる必要があるようなものと比べて、着脱時における作業性を向上させることができる。つまり、本実施形態のように、第１カバー２１を比較的に大きくした場合にも、その下方側の設置面やトイレ室内の壁面等が着脱の邪魔になるようなことを抑制することができる。
【００３７】
また、本実施形態では、第２カバー２６を便器本体１０側に取り付けた状態で、第１カバー２１を便器本体１０側に対して着脱自在としている。従って、例えば、便器本体１０に対して半開き状態（半取付状態）で第２カバー２６を第１カバー２１に対して着脱させてから第１カバー２１を便器本体１０に対して着脱させる必要があるようなものと比べて、第１カバー２１を着脱させる際における作業性を向上させることができる。
【００３８】
また、本実施形態では、第１カバー２１を、第２カバー２６よりも広い領域を覆う構造としている。従って、第１カバー２１を取り外せば、比較的に大きく開放させることができ、便器後方内部に収容される各種機能部材等のメンテナンス等の際の作業性を向上させることができる。
【００３９】
また、本実施形態では、肘掛３０の便器本体側端部３３を円柱形状とし、第１カバー２１及び第２カバー２６を、これらによって形成される便器本体側端部３３を受け入れる受入口２８が便器本体側端部３３に応じた円形状となる構造としている。従って、円柱形状とされた便器本体側端部３３の周囲を見栄え良く覆うことができる。また、これにより、例えば、本実施形態のように、肘掛３０を、便器本体側端部３３を回動支点として揺動可能とした場合にも、揺動を阻害することなく受入口２８に受け入れられる部位の周囲を効果的に見栄え良く覆うことができる。
なお、このように受入口２８を、便器本体側端部３３に応じた形状とした態様に代えて、便器本体側端部３３とは異なる形状としてもよい。
【００４０】
また、本実施形態では、左右一対の肘掛３０，３０を、便器本体１０の左右両側方に設けた態様を例示しているが、このような態様に限られず、便器本体１０の左右一方側のみに肘掛３０を設けた態様としてもよい。この場合は、左右一方側のサイドカバー２０のみを、第１カバー２１と第２カバー２６とに分割されたものとしてもよい。
また、本実施形態では、第１カバー２１の一隅部となる前上端隅部に補助カバー（第２カバー）受入凹部２４を設けた構成としているが、このような態様に限られない。例えば、第１カバー２１の後上端隅部や、上端縁部の前後途中部位、前後いずれかの縁部の上下途中部位に、第２カバー受入凹部２４を設けたような態様としてもよい。これらの場合には、第２カバー２６を適宜、必要に応じて変形するようにしてもよい。また、このような態様に代えて、例えば、第１カバー２１と第２カバー２６とが、サイドカバー２０の便器奥行方向の全体に亘って上下に分割されたようなものとしてもよい。
【００４１】
また、本実施形態では、第２カバー２６を便器本体１０側に取り付けた状態で、第１カバー２１を便器本体１０側に対して着脱自在とした例を示しているが、このような態様に限られない。例えば、便器本体１０に対して半開き状態（半取付状態）で第２カバー２６を第１カバー２１に対して着脱させてから第１カバー２１を便器本体１０に対して着脱させる必要があるような態様としてもよい。この場合は、第１カバー２１に対して第２カバー２６を着脱自在に保持させたような態様等としてもよい。
また、本実施形態では、第１カバー２１を、第２カバー２６よりも広い領域を覆う構造としているが、このような態様に代えて、互いに略同一の広さの領域を覆う構造としたり、第２カバー２６を、第１カバー２１よりも広い領域を覆う構造としてもよい。
【００４２】
また、本実施形態では、第１カバー２１を、便器本体１０側に取り付けられた状態で側面視して肘掛３０の支持部３２の前後方向への揺動領域に重ならないように配される構造としているが、このような態様に限られない。例えば、第１カバー２１に、肘掛３０の支持部３２の径に応じた前後幅とされた上向き開口の溝状の第２カバー受入凹部２４を設けた構成とし、第１カバー２１を、肘掛３０の支持部３２の揺動領域に重なる構造としてもよい。この場合は、適宜、肘掛３０を、その支持部３２の軸方向が上下方向に沿うように位置付けた状態で、第１カバー２１をカバー厚さ方向に移動させて着脱するようにしてもよい。
また、本実施形態では、肘掛３０を、便器本体側端部３３を回動支点として前後方向に揺動可能とした構成としているが、揺動不能とされたものとしてもよい。この場合は、第１カバー２１を、便器本体１０側に取り付けられた状態で側面視して肘掛３０の支持部３２と重ならないように配される構造としてもよい。
【符号の説明】
【００４３】
１    便器装置
１０  便器本体
２０  サイドカバー
２１  主カバー（第１カバー）
２６  補助カバー（第２カバー）
２８  受入口
３０  肘掛
３１  肘掛部
３２  支持部
３３  便器本体側端部
【図１】
2015143431.tif 000003
【図２】
2015143431.tif 000004
【図３】
2015143431.tif 000005